(57)【要約】【課題】利便性に優れ且つサービス提供者側にとってもリスクの少ない精算処理装置を提供すること。【解決手段】精算処理装置は、情報記憶媒体から各種情報を読み取り、情報記憶媒体に記憶された利用履歴情報に含まれる利用合計金額がフリーパス購入代金に達していないことを条件として、フリーパス購入代金を超えない範囲で、情報記憶媒体に記憶された金額情報から利用金額を受け取り、この受け取り金額を含めて利用合計金額を更新し、施設利用を許可する第１の施設利用制御手段と、情報記憶媒体に記憶された各種情報を読み取り、情報記憶媒体に記憶された利用履歴情報に含まれる利用合計金額がフリーパス購入代金に達していることを条件として、情報記憶媒体に記憶された金額情報から利用金額を受け取ることなく、施設利用を許可する第２の施設利用制御手段とを備えている。【選択図】図１
2007065737.tif 000002
【特許請求の範囲】
【請求項１】
情報記憶媒体に記憶された各種情報に基づき利用料金を精算する精算処理装置であって、
情報記憶媒体に記憶された各種情報を読み取り、この情報記憶媒体に記憶された利用履歴情報に含まれる利用合計金額がフリーパス購入代金に達していないことを条件として、フリーパス購入代金を超えない範囲で、この情報記憶媒体に記憶された金額情報から利用金額を受け取り、この受け取り金額を含めて利用合計金額を更新し、施設利用を許可する第１の施設利用制御手段と、
情報記憶媒体に記憶された各種情報を読み取り、この情報記憶媒体に記憶された利用履歴情報に含まれる利用合計金額がフリーパス購入代金に達していることを条件として、この情報記憶媒体に記憶された金額情報から利用金額を受け取ることなく、前記情報記憶媒体に記録されたフリーパス属性情報に基づいて施設利用を許可する第２の施設利用制御手段と、
を備えたことを特徴とする精算処理装置。
【請求項２】
情報記憶媒体に記憶された各種情報に基づき利用料金を精算する精算処理装置であって、
情報記憶媒体に記憶された各種情報を読み取り、フリーパスの利用条件に該当し、且つこの情報記憶媒体に記憶された利用履歴情報に含まれる利用合計金額がフリーパス購入代金に達していないことを条件として、フリーパス購入代金を超えない範囲で、この情報記憶媒体に記憶された金額情報から利用金額を受け取り、この受け取り金額を含めて利用合計金額を更新し、施設利用を許可する第１の施設利用制御手段と、
情報記憶媒体に記憶された各種情報を読み取り、フリーパスの利用条件に該当し、且つこの情報記憶媒体に記憶された利用履歴情報に含まれる利用合計金額がフリーパス購入代金に達していることを条件として、この情報記憶媒体に記憶された金額情報から利用金額を受け取ることなく、前記情報記憶媒体に記録されたフリーパス属性情報に基づいて施設利用を許可する第２の施設利用制御手段と、
情報記憶媒体に記憶された各種情報を読み取り、前記フリーパスの利用条件に該当しないことを条件として、この情報記憶媒体に記憶された金額情報から利用金額を受け取り、施設利用を許可する第３の施設利用制御手段と、
を備えたことを特徴とする精算処理装置。
【請求項３】
フリーパス購入代金より少ない所定代金の支払いにより暫定購入されたフリーパス属性情報が記憶された情報記憶媒体に基づき利用料金を精算する精算処理装置であって、
前記情報記憶媒体に記憶された各種情報を読み取り、この情報記憶媒体に記憶された利用履歴情報に含まれる利用合計金額及び今回利用金額の合計額が前記所定代金以下になることを条件として、この情報記憶媒体に記憶された金額情報から利用金額を受け取ることなく、今回利用金額を含めて利用合計金額を更新し、施設利用を許可する第１の施設利用制御手段と、
前記情報記憶媒体に記憶された各種情報を読み取り、この情報記憶媒体に記憶された利用履歴情報に含まれる利用合計金額に今回利用金額を加えた今回利用金額を含む合計金額が前記所定代金を超えることを条件として、フリーパス購入代金を超えない範囲で、この情報記憶媒体に記憶された金額情報から今回利用金額を含む合計金額のうち前記所定代金を超える金額を受け取り、今回利用金額を含めて利用合計金額を更新し、施設利用を許可する第２の施設利用制御手段と、
情報記憶媒体に記憶された各種情報を読み取り、この情報記憶媒体に記憶された利用履歴情報に含まれる利用合計金額がフリーパス購入代金に達していることを条件として、この情報記憶媒体に記憶された金額情報から利用金額を受け取ることなく、前記情報記憶媒体に記録されたフリーパス属性情報に基づいて施設利用を許可する第３の施設利用制御手段と、
を備えたことを特徴とする精算処理装置。
【請求項４】
フリーパス購入代金より少ない所定代金の支払いにより暫定購入されたフリーパス属性情報が記憶された情報記憶媒体に基づき利用料金を精算する精算処理装置であって、
前記情報記憶媒体に記憶された各種情報を読み取り、前記フリーパスの利用条件に該当し、且つこの情報記憶媒体に記憶された利用履歴情報に含まれる利用合計金額及び今回利用金額の合計額が前記所定代金以下になることを条件として、この情報記憶媒体に記憶された金額情報から利用金額を受け取ることなく、今回利用金額を含めて利用合計金額を更新し、施設利用を許可する第１の施設利用制御手段と、
前記情報記憶媒体に記憶された各種情報を読み取り、前記フリーパスの利用条件に該当し、且つこの情報記憶媒体に記憶された利用履歴情報に含まれる利用合計金額に今回利用金額を加えた今回利用金額を含む合計金額が前記所定代金を超えることを条件として、フリーパス購入代金を超えない範囲で、この情報記憶媒体に記憶された金額情報から今回利用金額を含む合計金額のうち前記所定代金を超える金額を受け取り、今回利用金額を含めて利用合計金額を更新し、施設利用を許可する第２の施設利用制御手段と、
情報記憶媒体に記憶された各種情報を読み取り、前記フリーパスの利用条件に該当し、且つこの情報記憶媒体に記憶された利用履歴情報に含まれる利用合計金額がフリーパス購入代金に達していることを条件として、この情報記憶媒体に記憶された金額情報から利用金額を受け取ることなく、前記情報記憶媒体に記録されたフリーパス属性情報に基づいて施設利用を許可する第３の施設利用制御手段と、
情報記憶媒体に記憶された各種情報を読み取り、前記フリーパスの利用条件に該当しないことを条件として、この情報記憶媒体に記憶された金額情報から利用金額を受け取り、施設利用を許可する第４の施設利用制御手段と、
を備えたことを特徴とする精算処理装置。
【請求項５】
情報記憶媒体に記憶された各種情報に基づき利用料金を精算する精算処理方法であって、
情報記憶媒体に記憶された各種情報を読み取り、この情報記憶媒体に記憶された利用履歴情報に含まれる利用合計金額がフリーパス購入代金に達していないことを条件として、フリーパス購入代金を超えない範囲で、この情報記憶媒体に記憶された金額情報から利用金額を受け取り、この受け取り金額を含めて利用合計金額を更新し、施設利用を許可し、
情報記憶媒体に記憶された各種情報を読み取り、この情報記憶媒体に記憶された利用履歴情報に含まれる利用合計金額がフリーパス購入代金に達していることを条件として、この情報記憶媒体に記憶された金額情報から利用金額を受け取ることなく、前記情報記憶媒体に記録されたフリーパス属性情報に基づいて施設利用を許可する、
ことを特徴とする精算処理方法。
【請求項６】
情報記憶媒体に記憶された各種情報に基づき利用料金を精算する精算処理方法であって、
情報記憶媒体に記憶された各種情報を読み取り、フリーパスの利用条件に該当し、且つこの情報記憶媒体に記憶された利用履歴情報に含まれる利用合計金額がフリーパス購入代金に達していないことを条件として、フリーパス購入代金を超えない範囲で、この情報記憶媒体に記憶された金額情報から利用金額を受け取り、この受け取り金額を含めて利用合計金額を更新し、施設利用を許可し、
情報記憶媒体に記憶された各種情報を読み取り、フリーパスの利用条件に該当し、且つこの情報記憶媒体に記憶された利用履歴情報に含まれる利用合計金額がフリーパス購入代金に達していることを条件として、この情報記憶媒体に記憶された金額情報から利用金額を受け取ることなく、前記情報記憶媒体に記録されたフリーパス属性情報に基づいて施設利用を許可し、
情報記憶媒体に記憶された各種情報を読み取り、前記フリーパスの利用条件に該当しないことを条件として、この情報記憶媒体に記憶された金額情報から利用金額を受け取り、施設利用を許可する、
ことを特徴とする精算処理方法。
【請求項７】
フリーパス購入代金より少ない所定代金の支払いにより暫定購入されたフリーパス属性情報が記憶された情報記憶媒体に基づき利用料金を精算する精算処理方法であって、
前記情報記憶媒体に記憶された各種情報を読み取り、この情報記憶媒体に記憶された利用履歴情報に含まれる利用合計金額及び今回利用金額の合計額が前記所定代金以下になることを条件として、この情報記憶媒体に記憶された金額情報から利用金額を受け取ることなく、今回利用金額を含めて利用合計金額を更新し、施設利用を許可し、
前記情報記憶媒体に記憶された各種情報を読み取り、この情報記憶媒体に記憶された利用履歴情報に含まれる利用合計金額に今回利用金額を加えた今回利用金額を含む合計金額が前記所定代金を超えることを条件として、フリーパス購入代金を超えない範囲で、この情報記憶媒体に記憶された金額情報から今回利用金額を含む合計金額のうち前記所定代金を超える金額を受け取り、今回利用金額を含めて利用合計金額を更新し、施設利用を許可し、
情報記憶媒体に記憶された各種情報を読み取り、この情報記憶媒体に記憶された利用履歴情報に含まれる利用合計金額がフリーパス購入代金に達していることを条件として、この情報記憶媒体に記憶された金額情報から利用金額を受け取ることなく、前記情報記憶媒体に記録されたフリーパス属性情報に基づいて施設利用を許可する、
ことを特徴とする精算処理方法。
【請求項８】
フリーパス購入代金より少ない所定代金の支払いにより暫定購入されたフリーパス属性情報が記憶された情報記憶媒体に基づき利用料金を精算する精算処理方法であって、
前記情報記憶媒体に記憶された各種情報を読み取り、前記フリーパスの利用条件に該当し、且つこの情報記憶媒体に記憶された利用履歴情報に含まれる利用合計金額及び今回利用金額の合計額が前記所定代金以下になることを条件として、この情報記憶媒体に記憶された金額情報から利用金額を受け取ることなく、今回利用金額を含めて利用合計金額を更新し、施設利用を許可する、
前記情報記憶媒体に記憶された各種情報を読み取り、前記フリーパスの利用条件に該当し、且つこの情報記憶媒体に記憶された利用履歴情報に含まれる利用合計金額に今回利用金額を加えた今回利用金額を含む合計金額が前記所定代金を超えることを条件として、フリーパス購入代金を超えない範囲で、この情報記憶媒体に記憶された金額情報から今回利用金額を含む合計金額のうち前記所定代金を超える金額を受け取り、今回利用金額を含めて利用合計金額を更新し、施設利用を許可し、
情報記憶媒体に記憶された各種情報を読み取り、前記フリーパスの利用条件に該当し、且つこの情報記憶媒体に記憶された利用履歴情報に含まれる利用合計金額がフリーパス購入代金に達していることを条件として、この情報記憶媒体に記憶された金額情報から利用金額を受け取ることなく、前記情報記憶媒体に記録されたフリーパス属性情報に基づいて施設利用を許可し、
情報記憶媒体に記憶された各種情報を読み取り、前記フリーパスの利用条件に該当しないことを条件として、この情報記憶媒体に記憶された金額情報から利用金額を受け取り、施設利用を許可する、
ことを特徴とする精算処理方法。
【発明の詳細な説明】
【技術分野】
【０００１】
本発明は、金額情報等を記憶した情報記憶媒体から利用に応じた金額を引き去る精算処理装置及び精算処理方法の改良に関する。
【背景技術】
【０００２】
鉄道等の交通機関では、予め所定金額を支払って取得されるフリーパス又はパスポートと呼ばれる磁気券等の使用により、所定期間にわたり所定エリアを利用回数制限なく利用することが可能なサービスが提供されている。同様に、アトラクション等の施設でも、予め所定金額を支払って取得されるフリーパス又はパスポートと呼ばれる磁気券等の使用により、所定期間にわたり所定施設を利用回数制限なく利用することが可能なサービスが提供されている。
【０００３】
上記したサービス以外にも、例えば、利用回数等の各種条件に応じた最安料金を事後請求する技術が提案されている（特許文献１参照）。
【特許文献１】特開２００３−１６２７４１
【発明の開示】
【発明が解決しようとする課題】
【０００４】
しかしながら、実施の利用回数に相当する金額が、フリーパス又はパスポートと呼ばれる磁気券の取得に必要な所定金額より低い場合、利用者は不利な支払いにより損をすることになる。
【０００５】
また、フリーパス又はパスポートにより利用可能な所定エリア外又は所定施設外のサービスを利用する場合には、その都度、料金の支払いが必要となる。つまり、利用者は、エリアや施設を区別して料金の支払い形態を切り替えなければならず、利便性に欠ける。
【０００６】
また、利用回数等の各種条件に応じた最安料金の事後請求については、サービス提供者が料金回収に失敗するおそれもあり、サービス提供者側にとってリスクが生じる。
【０００７】
本発明の目的は、上記課題を解決するためになされたものであり、利便性に優れ且つサービス提供者側にとってもリスクの少ない精算処理装置及び精算処理方法を提供することにある。
【課題を解決するための手段】
【０００８】
この発明の精算処理装置及び精算処理方法は、以下のように構成されている。
【０００９】
（１）この発明は、情報記憶媒体に記憶された各種情報に基づき利用料金を精算する精算処理装置であって、情報記憶媒体に記憶された各種情報を読み取り、この情報記憶媒体に記憶された利用履歴情報に含まれる利用合計金額がフリーパス購入代金に達していないことを条件として、フリーパス購入代金を超えない範囲で、この情報記憶媒体に記憶された金額情報から利用金額を受け取り、この受け取り金額を含めて利用合計金額を更新し、施設利用を許可する第１の施設利用制御手段と、情報記憶媒体に記憶された各種情報を読み取り、この情報記憶媒体に記憶された利用履歴情報に含まれる利用合計金額がフリーパス購入代金に達していることを条件として、この情報記憶媒体に記憶された金額情報から利用金額を受け取ることなく、施設利用を許可する第２の施設利用制御手段とを備えている。
【００１０】
（２）この発明は、情報記憶媒体に記憶された各種情報に基づき利用料金を精算する精算処理方法であって、情報記憶媒体に記憶された各種情報を読み取り、この情報記憶媒体に記憶された利用履歴情報に含まれる利用合計金額がフリーパス購入代金に達していないことを条件として、フリーパス購入代金を超えない範囲で、この情報記憶媒体に記憶された金額情報から利用金額を受け取り、この受け取り金額を含めて利用合計金額を更新し、施設利用を許可し、情報記憶媒体に記憶された各種情報を読み取り、この情報記憶媒体に記憶された利用履歴情報に含まれる利用合計金額がフリーパス購入代金に達していることを条件として、この情報記憶媒体に記憶された金額情報から利用金額を受け取ることなく、施設利用を許可する。
【発明の効果】
【００１１】
本発明によれば、利便性に優れ且つサービス提供者側にとってもリスクの少ない精算処理装置及び精算処理方法を提供できる。
【発明を実施するための最良の形態】
【００１２】
以下、図面を参照し、本発明の実施形態について説明する。
【００１３】
図１は、この発明の一例の精算処理システムの概略構成を示す図である。
【００１４】
図１に示すように、精算処理システムは、センターサーバ１、媒体処理機器２、精算処理機器３、及び精算処理機器４により構成されている。センターサーバ１、媒体処理機器２、精算処理機器３、精算処理機器４は、無線又は有線のネットワークにより接続されている。また、この精算処理システムでは、精算処理を受けるための情報記憶媒体として、例えば無線ＩＣカード５が適用される。
【００１５】
センターサーバ１は、ＣＰＵなどの制御部１１、各種情報を記憶する記憶部１２、各機器と通信する通信制御部１３などを備えている。媒体処理機器２は、例えば係員発券機及び自動券売機である。媒体処理機器２は、ＣＰＵなどの制御部２１、各種情報を記憶する記憶部２２、ＩＣカードを処理するＩＣカードリーダライタ２３、磁気券を処理する磁気処理部２４、各種情報を案内表示する表示部２５、タッチパネルなどの操作入力部２６、及びセンターサーバ１との通信を制御する通信制御部２７などを備えている。精算処理機器３は、例えば鉄道などの駅に設置される自動改札機である。精算処理機器３は、改札判定及び精算処理を行なうＣＰＵなどの制御部３１、改札判定及び精算処理に必要な運賃データ等を記憶する記憶部３２、ＩＣカードリーダライタ３３、磁気券を処理する磁気処理部３４、各種情報を案内表示する表示部３５、及びセンターサーバ１との通信を制御する通信制御部３６などを備えている。精算処理機器４は、例えばバスなどに設置される自動精算機である。精算処理機器４は、精算処理を行なうＣＰＵなどの制御部４１、精算処理に必要な運賃データ等を記憶する記憶部４２、ＩＣカードリーダライタ４３、磁気券を処理する磁気処理部４４、各種情報を案内表示する表示部４５、及びセンターサーバ１との通信を制御する通信制御部４６などを備えている。
【００１６】
無線ＩＣカード５は、金額情報を記憶するための金額情報記憶エリア５１、フリーパス属性情報（フリーパス有効エリア、フリーパス有効期間、前払い金額（フリーパスの暫定発売額）、フリーパス金額（フリーパスの実際の発売額）など）を記憶するためのフリーパス属性情報記憶エリア５２、利用日時、利用金額、フリーパス有効エリア内の利用合計金額等の情報を含む利用履歴情報を記憶するための利用履歴情報記憶エリア５３などを備えている。
【００１７】
媒体処理機器２に対して無線ＩＣカード５を投入し、媒体処理機器２の操作入力部２６を介して金額チャージを入力し、媒体処理機器２に対して代金を支払うと、この媒体処理機器２は、支払われた代金相当の金額情報を無線ＩＣカード５の金額情報記憶エリア５１へ記録する（金額情報のチャージ）。また、媒体処理機器２に対して無線ＩＣカード５を投入し、媒体処理機器２の操作入力部２６を介してフリーパス購入を入力し、媒体処理機器２に対してフリーパスの暫定発売額（フリーパスの暫定発売額＜フリーパスの実際の発売額）を支払うと、この媒体処理機器２は、フリーパス属性情報を無線ＩＣカード５のフリーパス属性情報記憶エリア５２へ記録する（フリーパスの暫定購入）。或いは、媒体処理機器２に対して無線ＩＣカード５を投入し、媒体処理機器２の操作入力部２６を介してフリーパス購入を入力し、さらに無線ＩＣカード５の金額情報エリア５１にチャージされた金額情報によるフリーパスの暫定発売額（フリーパスの暫定発売額＜フリーパスの実際の発売額）の支払いを入力すると、この媒体処理機器２は、無線ＩＣカード５の金額情報エリア５１にチャージされた金額情報からフリーパスの暫定発売額を引き去り、フリーパス属性情報を無線ＩＣカード５のフリーパス属性情報記憶エリア５２へ記録する（フリーパスの暫定購入）。
【００１８】
図２は、上記した精算処理システムによる精算処理の一例を示すフローチャートである。
【００１９】
媒体処理機器２に対するフリーパスの購入操作に対応して、フリーパスが暫定発売される（ＳＴ１）。つまり、フリーパスの暫定発売額（例えば５００円）の支払いにより、無線ＩＣカード５のフリーパス属性情報記憶エリア５２に、フリーパス属性情報が記録される。なお、無線ＩＣカード５を所持していない場合は、例えば媒体処理機器２の操作入力部２６を介して無線ＩＣカード５の発行を入力し、媒体処理機器２に対してデポジットを支払うと、この媒体処理機器２により無線ＩＣカード５が発行される。
【００２０】
無線ＩＣカード５が、精算処理機器３又は精算処理機器４に投入又は翳されると、精算処理機器３のＩＣカードリーダライタ３３又は精算処理機器４のＩＣカードリーダライタ４３は、無線ＩＣカード５に記憶された情報を読み取り、精算処理機器３の制御部３１又は精算処理機器４の制御部４１は、無線ＩＣカード５から読み取った情報に基づき、施設利用可否を判定し（判定結果を表示し）、精算処理を行なう。
【００２１】
精算処理機器３（制御部３１）又は精算処理機器４（制御部４１）は、無線ＩＣカード５のフリーパス属性情報記憶エリア５２に記憶されたフリーパス属性情報に含まれるフリーパス有効エリア及びフリーパス有効期間等のフリーパスの利用条件が満たされ（ＳＴ２）、且つ利用履歴情報に含まれる利用合計金額（例えば０円）及び今回利用金額（例えば１５０円）の合計額（つまり１５０円）がフリーパスの暫定発売額（例えば５００円）以下になることを確認すると（ＳＴ３、ＮＯ）、この無線ＩＣカード５の金額情報記憶エリア５１に記憶された金額情報から利用金額を引き去ることなく、この無前ＩＣカード５の利用履歴情報記憶エリア５３に対して今回利用日時及び今回利用金額を記録し、さらに今回利用金額（１５０円）を含めて利用合計金額を更新し（利用合計金額＝１５０円）、施設利用を許可する（ＳＴ６）。つまり、フリーパス有効エリア及びフリーパス有効期間内の鉄道やバス等の利用で、且つ今回利用金額を含む利用合計金額が前払い金額（フリーパスの暫定発売額）以下であれば、そのまま入出場が許可される（精算処理機器３が自動改札機の場合にはドアが開いた状態となり通行が許可される）。
【００２２】
また、精算処理機器３（制御部３１）又は精算処理機器４（制御部４１）は、無線ＩＣカード５のフリーパス属性情報記憶エリア５２に記憶されたフリーパス属性情報に含まれるフリーパス有効エリア及びフリーパス有効期間等のフリーパスの利用条件が満たされ（ＳＴ２）、且つ利用履歴情報に含まれる利用合計金額（例えば１５０円）及び今回利用金額（例えば４００円）の合計額（つまり５５０円）がフリーパスの暫定発売額（例えば５００円）を超えることを確認すると（ＳＴ３、ＹＥＳ）、フリーパスの実際の発売額（例えば１０００円）を超えない範囲で、この無線ＩＣカード５の金額情報記憶エリア５１に記憶された金額情報から利用合計金額（１５０円）及び今回利用金額（５００円）の合計額（５５０円）のうちフリーパスの暫定発売額（５００円）を超える金額（５０円）を引き去り（ＳＴ４、ＳＴ５）、この無前ＩＣカード５の利用履歴情報記憶エリア５３に対して今回利用日時及び今回利用金額を記録し、さらに今回利用金額を含めて利用合計金額を更新し（利用合計金額＝５５０円）、施設利用を許可する（ＳＴ６）。
【００２３】
また、精算処理機器３（制御部３１）又は精算処理機器４（制御部４１）は、無線ＩＣカード５のフリーパス属性情報記憶エリア５２に記憶されたフリーパス属性情報に含まれるフリーパス有効エリア及びフリーパス有効期間等のフリーパスの利用条件が満たされ（ＳＴ２）、且つ利用履歴情報に含まれる利用合計金額（例えば５５０円）及び今回利用金額（例えば６００円）の合計額（つまり１１５０円）がフリーパスの暫定発売額（例えば５００円）を超えることを確認すると（ＳＴ３、ＹＥＳ）、フリーパスの実際の発売額（例えば１０００円）を超えない範囲で、この無線ＩＣカード５の金額情報記憶エリア５１に記憶された金額情報から利用合計金額（５５０円）及び今回利用金額（６００円）の合計額（１１５０円）のうちフリーパスの暫定発売額（５００円）を超える金額（５００円）を引き去り（ＳＴ４、ＳＴ５）、この無前ＩＣカード５の利用履歴情報記憶エリア５３に対して今回利用日時及び今回利用金額を記録し、さらに今回利用金額を含めて利用合計金額を更新し（利用合計金額＝１１５０円）、施設利用を許可する（ＳＴ６）。
【００２４】
また、精算処理機器３（制御部３１）又は精算処理機器４（制御部４１）は、無線ＩＣカード５のフリーパス属性情報記憶エリア５２に記憶されたフリーパス属性情報に含まれるフリーパス有効エリア及びフリーパス有効期間等のフリーパスの利用条件が満たされ（ＳＴ２）、且つ利用履歴情報に含まれる利用合計金額（例えば１０００円）がフリーパスの実際の発売額（例えば１０００円）に達していることを確認すると（ＳＴ４、ＹＥＳ）、この無線ＩＣカード５の金額情報記憶エリア５１に記憶された金額情報から利用金額を引き去ることなく、この無前ＩＣカード５の利用履歴情報記憶エリア５３に対して今回利用日時及び今回利用金額を記録し、施設利用を許可する（ＳＴ６）。
【００２５】
また、精算処理機器３（制御部３１）又は精算処理機器４（制御部４１）は、無線ＩＣカード５のフリーパス属性情報記憶エリア５２に記憶されたフリーパス属性情報に含まれるフリーパス有効エリア及びフリーパス有効期間等のフリーパスの利用条件が満たされないことを確認すると（ＳＴ７、ＹＥＳ）、この無線ＩＣカード５の金額情報記憶エリア５１に記憶された金額情報から利用金額を引き去り（ＳＴ８）、この無前ＩＣカード５の利用履歴情報記憶エリア５３に対して今回利用日時及び今回利用金額を記録し、施設利用を許可する（ＳＴ９）。
【００２６】
なお、精算処理機器３（制御部３１）又は精算処理機器４（制御部４１）は、無線ＩＣカード５のフリーパス属性情報記憶エリア５２に記憶されたフリーパス属性情報に含まれるフリーパス有効期間の超過を検出すると（ＳＴ１０、ＹＥＳ）、例えばフリーパス属性情報を消去する（ＳＴ１１）。
【００２７】
上記説明では、フリーパスの暫定発売額を支払い、フリーパス属性を暫定購入するケースについて説明した。この発明はこれだけに限定されるものではない。例えば、媒体処理機器２が、フリーパスの暫定発売額を要求せずに、フリーパスの購入操作に対応してフリーパス属性を発売するようにしてもよい。
【００２８】
この場合、精算処理機器３又は精算処理機器４においてフリーパス属性が記録された無線ＩＣカード５が利用されると、精算処理機器３又は精算処理機器４は、フリーパスの利用条件が満たされ、且つ利用履歴情報に含まれる利用合計金額（例えば０円）及び今回利用金額（例えば１５０円）の合計額（つまり１５０円）がフリーパスの実際の発売額（例えば１０００円）に達していないことを確認すると、フリーパスの実際の発売額を超えない範囲で、この無線ＩＣカード５の金額情報記憶エリア５１に記憶された金額情報から今回利用金額を引き去り、この無前ＩＣカード５の利用履歴情報記憶エリア５３に対して今回利用日時及び今回利用金額を記録し、さらに今回利用金額（１５０円）を含めて利用合計金額を更新し（利用合計金額＝１５０円）、施設利用を許可する。
【００２９】
また、精算処理機器３又は精算処理機器４は、フリーパスの利用条件が満たされ、且つ利用履歴情報に含まれる利用合計金額（例えば１０００円）がフリーパスの実際の発売額（例えば１０００円）に達していることを確認すると、この無線ＩＣカード５の金額情報記憶エリア５１に記憶された金額情報から利用金額を受け取ることなく、この無前ＩＣカード５の利用履歴情報記憶エリア５３に対して今回利用日時及び今回利用金額を記録し、施設利用を許可する。
【００３０】
なお、上記説明では、精算処理を受けるための情報記憶媒体として、無線ＩＣカード５を利用するケースについて説明したが、この発明はこれだけに限定されるものではない。例えば、磁気券を利用するようにしてもよい。
【００３１】
以上により、実際の利用金額がフリーパスの実際の発売額に満たない場合には実際の利用金額が精算され、実際の利用金額がフリーパスの実際の発売額以上の場合にはフリーパスの実際の発売額だけが精算される。これにより、利用者にとって有利な支払いが選択されることになり、利用者の利便性が向上する。
【００３２】
また、フリーパスの利用条件を満たさない場合、つまりフリーパスの区間外やフリーパスの期間切れの場合には、予めチャージされた金額情報に基づき利用料金が精算される。これにより、利用者は、エリアや施設を区別した料金の支払い形態の切り替えを意識しなくて済み、利用者の利便性が向上する。
【００３３】
さらに、サービス提供者側は、その都度、必要な料金を精算するので、料金未回収という問題を回避することができる。
【００３４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３５】
【図１】この発明の一例の精算処理システムの概略構成を示す図である。
【図２】精算処理システムによる精算処理の一例を示すフローチャートである。
【符号の説明】
【００３６】
１…センターサーバ、２…媒体処理機器、３、４…精算処理機器、５…無線ＩＣカード、１１…制御部、１２…記憶部、１３…通信制御部、２１…制御部、２２…記憶部、２３…ＩＣカードリーダライタ、２４…磁気処理部、２５…表示部、２６…操作入力部、２７…通信制御部、３１…制御部、３２…記憶部、３３…ＩＣカードリーダライタ、３４…磁気処理部、３５…表示部、３６…通信制御部、４１…制御部、４２…記憶部、４３…ＩＣカードリーダライタ、４４…磁気処理部、４５…表示部、４６…通信制御部
【図１】
2007065737.tif 000003
【図２】
2007065737.tif 000004